(57)【要約】【課題】電子ロック情報を伝達可能な街路灯を提供する。【解決手段】街路灯は、ランプ主体31上に電源に連接するACアダプター32、オプトエレクトロニックモジュール33、ACアダプター32とオプトエレクトロニックモジュール33との間に電気的に連接するコントロール回路34を設置し、コントロール回路34は少なくとも無線伝送/受信モジュール341、パワーアンプモジュール342、信号処理モジュール343備え、信号処理モジュール343により、街路灯30を設置する地点を通過する電子ロック12情報を読み取り、読み取った電子ロック12情報を、無線伝送/受信モジュール341により外へと発送し、それが対応するリモートホスト20により受信し、リモートホスト20によりコンテナ車10に搭載する物品が危険性を備えないかどうかをさらに分析し、特定コンテナ11の運送路線を詳細に追跡し、コンテナ11が最後に到達した地点を確認することができる。【選択図】図２
0003184342.tif 000002
【実用新案登録請求の範囲】
【請求項１】
街路灯は、ランプ主体上に、電源に連接するACアダプター、オプトエレクトロニックモジュール、前記ACアダプターと前記オプトエレクトロニックモジュールとの間に電気的に連接するコントロール回路を設置し、
前記コントロール回路はさらに、無線伝送/受信モジュール、パワーアンプモジュール、信号処理モジュールを備え、
前記無線伝送/受信モジュールは、前記ACアダプターと電気的に連接し、少なくとも１個の対応する外部リモートホストと、信号の伝送/受信を行い、
前記パワーアンプモジュールは、前記無線伝送/受信モジュールと電気的に連接し、前記無線伝送/受信モジュールが外へと発送する信号波を拡大し、これによりあるべき伝送距離を獲得し、
前記信号処理モジュールは、前記無線伝送/受信モジュールと電気的に連接し、街路灯周辺の電子ロック情報を読み取り、読み取った電子ロックの情報を、前記無線伝送/受信モジュールへと伝送し、外へと発送することを特徴とする街路灯。
【請求項２】
前記コントロール回路はさらに、調光モジュール、電流/電圧安定モジュール、電流/電圧安定モジュール、電流/電圧ディテクションモジュールを備え、
前記調光モジュールは、前記オプトエレクトロニックモジュールと電気的に連接し、前記オプトエレクトロニックモジュールに対してアウトプットする電圧/電流をコントロールし、
前記電流/電圧安定モジュールは、前記ACアダプターと前記調光モジュールとの間に電気的に連接し、前記オプトエレクトロニックモジュールに対して、安定したアウトプット電圧/電流を提供し、
前記電流/電圧ディテクションモジュールは、前記無線伝送/受信モジュールと前記電流/電圧安定モジュールとの間に電気的に連接し、前記オプトエレクトロニックモジュールに対してアウトプットされる電圧/電流情報を探知し、前記無線伝送/受信モジュールを通して、探知した電圧/電流情報を外へと発送し、
前記信号処理モジュールはさらに、前記無線伝送/受信モジュールが受信する信号を判別して執行することを特徴とする請求項１に記載の街路灯。
【請求項３】
前記調光モジュールは、インプットされる電圧/電流の大きさをコントロールするトランジスターを内蔵することを特徴とする請求項２に記載の街路灯。
【請求項４】
前記調光モジュールは、インプットされる電圧/電流の大きさをコントロールする可変レジスターを内蔵することを特徴とする請求項２に記載の街路灯。
【請求項５】
前記電流/電圧安定モジュールは、OVP電圧安定回路及びOVP電流安定回路を内蔵することを特徴とする請求項２に記載の街路灯。
【請求項６】
前記電流/電圧安定モジュールは、OVP電圧安定回路、OVP電流安定回路、PFCパワー補償回路を内蔵することを特徴とする請求項２に記載の街路灯。
【請求項７】
前記電流/電圧安定モジュールは、OVP電圧安定回路、OVP電流安定回路、OHP加熱保護回路を内蔵することを特徴とする請求項２に記載の街路灯。
【請求項８】
前記電流/電圧安定モジュールは、OVP電圧安定回路、OVP電流安定回路、PFCパワー補償回路、OHP加熱保護回路を内蔵することを特徴とする請求項２に記載の街路灯。
【請求項９】
前記街路灯は、前記Cアダプター前端に、落雷保護モジュールを電気的に連接し、
前記落雷保護モジュールを通して、外部電源に連接することを特徴とする請求項１又は２に記載の街路灯。
【請求項１０】
前記落雷保護モジュールは、ポジティブ落雷が発生する大電流を放電する放電保護部品を内蔵することを特徴とする請求項９に記載の街路灯。
【請求項１１】
前記無線伝送/受信モジュールは、IEEEインターフェースを内蔵し、それが対応するリモートホストと、信号の伝送/受信を行うことを特徴とする請求項１又は２に記載の街路灯。
【請求項１２】
前記パワーアンプモジュールは、前記無線伝送/受信モジュールへと伝送される信号を拡大するアンプを内蔵することを特徴とする請求項１又は２に記載の街路灯。
【考案の詳細な説明】
【技術分野】
【０００１】
本考案は照明ランプに関し、特に電子ロック情報を伝達可能な街路灯に関する。
【背景技術】
【０００２】
電灯は現在最も広く使用されているオプトエレクトロニクス技術であり、人類の最も偉大な発明の一つである。一般の照明用ランプは、建築物の室内、屋外に取り付けられ、或いは携帯して使用される。しかも、適した電源を接続し、関連する回路スイッチを配置することで、実際の使用ニーズに基づき、照明ランプのオン或いはオフを自由にコントロールすることができる。
【０００３】
現在では行政機関は、夜間の自動車走行、或いは歩行者の外出の安全のため、通常は道路の両脇、或いは公園等の屋外の公共エリアに、街路灯を設置する。よって、街路灯は、設置密度が最も高い重要な交通/道路設備の一つであるといえる。
【０００４】
さらに、流通/運輸業は、現在地球規模で急速に発展しており、経済発展の加速器と呼ばれている。貨物輸送の過程全体では、貨物の輸送をいかにして効果的に管理するかは、非常に重要である。伝統的な管理方式は、大量の人力、財力、物力を浪費するばかりでなく、もしコンテナがその輸送過程で異常な状況で開放されたなら、運輸管理部門はそれを知ることができない。コンテナ(貨物)運送の安全政策を着実にするため、現在では、コンテナシーリングは徐々に伝統的な機械式シーリングから電子ロック(或いは、電子シーリングと呼ばれる)へと進化している。
【０００５】
しかし、コンテナが一旦税関を出てしまえば、その行方を拘束することは難しい。特に、コンテナに搭載された物品が、高い危険性を備えることがわかっている場合には、コンテナの最後の運送地点を確認し、また運送過程において中身に手が加わっていないかどうかを確認する必要がある。よって、もともと設定された路線で、もともと設定された地点へと、コンテナが輸送されるよう確保することは、行政機関及び業界が解決を急ぐ課題である。
【先行技術文献】
【特許文献】
【０００６】
【特許文献１】なし
【考案の概要】
【考案が解決しようとする課題】
【０００７】
本考案が解決しようとする課題は、電子ロック情報を伝達可能な街路灯を提供することである。
【課題を解決するための手段】
【０００８】
上記課題を解決するため、本考案は下記の街路灯を提供する。
街路灯は、ランプ主体上に、電源に連接するACアダプター、オプトエレクトロニックモジュール、該ACアダプターと該オプトエレクトロニックモジュールとの間に電気的に連接するコントロール回路を設置し、
該コントロール回路はさらに、無線伝送/受信モジュール、パワーアンプモジュール、信号処理モジュールを備え、
該無線伝送/受信モジュールは、該ACアダプターと電気的に連接し、少なくとも１個の対応する外部リモートホストと、信号の伝送/受信を行い、
該パワーアンプモジュールは、該無線伝送/受信モジュールと電気的に連接し、該無線伝送/受信モジュールが外へと発送する信号波を拡大し、これによりあるべき伝送距離を獲得し、
該信号処理モジュールは、該無線伝送/受信モジュールと電気的に連接し、街路灯周辺の電子ロック情報を読み取り、読み取った電子ロックの情報を、該無線伝送/受信モジュールへと伝送し、外へと発送し、
本考案の街路灯の使用時には、該信号処理モジュールにより、街路灯を設置する地点を通過する電子ロック情報を常態的に読み取り、例えば、街路灯を設置する地点を通過するコンテナ車上の電子ロック情報を読み取り、該無線伝送/受信モジュールにより外へと発送し、リモートホストによりコンテナ車に搭載する物品が危険性を備えないかどうかをさらに分析し、特定コンテナの運送路線を詳細に追跡し、及び該コンテナが最後に到達した地点を確認することができ、
該コントロール回路はさらに、調光モジュール、電流/電圧安定モジュール、電流/電圧安定モジュール、電流/電圧ディテクションモジュールを備え、
該調光モジュールは、該オプトエレクトロニックモジュールと電気的に連接し、該オプトエレクトロニックモジュールに対してアウトプットする電圧/電流をコントロールし、
該電流/電圧安定モジュールは、該ACアダプターと該調光モジュールとの間に電気的に連接し、該オプトエレクトロニックモジュールに対して、安定したアウトプット電圧/電流を提供し、
該電流/電圧ディテクションモジュールは、該無線伝送/受信モジュールと該電流/電圧安定モジュールとの間に電気的に連接し、該オプトエレクトロニックモジュールに対してアウトプットされる電圧/電流情報を探知し、該無線伝送/受信モジュールを通して探知した電圧/電流情報を外へと発送し、
該信号処理モジュールはさらに、該無線伝送/受信モジュールが受信する信号を判別して執行し、
該調光モジュールは、インプットされる電圧/電流の大きさをコントロールするトランジスターを内蔵し、
該調光モジュールは、インプットされる電圧/電流の大きさをコントロールする可変レジスターを内蔵し、
該電流/電圧安定モジュールは、OVP電圧安定回路及びOVP電流安定回路を内蔵し、
該電流/電圧安定モジュールは、OVP電圧安定回路、OVP電流安定回路、PFCパワー補償回路を内蔵し、
該電流/電圧安定モジュールは、OVP電圧安定回路、OVP電流安定回路、OHP加熱保護回路を内蔵し、
該電流/電圧安定モジュールは、OVP電圧安定回路、OVP電流安定回路、PFCパワー補償回路、OHP加熱保護回路を内蔵し、
該街路灯は、該Cアダプター前端に、落雷保護モジュールを電気的に連接し、該落雷保護モジュールを通して、外部電源に連接し、
該落雷保護モジュールは、ポジティブ落雷が発生する大電流を放電する放電保護部品を内蔵し、
該無線伝送/受信モジュールは、IEEEインターフェースを内蔵し、それが対応するリモートホストと、信号の伝送/受信を行い、
該パワーアンプモジュールは、該無線伝送/受信モジュールへと伝送される信号を拡大するアンプを内蔵する。
【考案の効果】
【０００９】
本考案の街路灯は、以下のような効果を備える。
（１）より積極的な手段で、コンテナ車に搭載する物品に危険性がないかどうかを分析することができる。
（２）より積極的な手段で、特定コンテナの流れを掌握することができる。
（３）より積極的な手段で、テロ事件の発生を防止することができる。
（４）より積極的な手段で、街路灯の作動状態を掌握することができる。
（５）より積極的な手段で、街路灯の正常な作動を維持/補修することができる。
（６）リモートホストのオン/オフ或いは調光信号を受信し、リモートコントロールの目的を達成することができる。
【図面の簡単な説明】
【００１０】
【図１】本考案の街路灯使用配置参考図である。
【図２】本考案の実施例１の街路灯基本構成構造ブロックチャートである。
【図３】本考案の実施例２の街路灯基本構成構造ブロックチャートである。
【図４】本考案の実施例３の街路灯基本構成構造ブロックチャートである。
【考案を実施するための形態】
【００１１】
以下に、図面を参照しながら、本考案を実施するための最良の形態について詳述する。
【００１２】
本考案の街路灯使用配置参考図である図１に示すように、本考案は、無線伝送方式を利用し、道路区間を通過するコンテナ車10に搭載するコンテナ11上の電子ロック12情報を常態的に読み取ることができ、しかも読み取った電子ロック12を外へと発送し、対応するリモートホスト20により受信する街路灯30を提供する。これにより、リモートホスト20は、コンテナ車10に搭載する物品が危険性を備えないかどうかをさらに分析し、特定コンテナ11の運送路線を詳細に追跡し、及びコンテナ11が最後に到達した地点を確認することができる。
【００１３】
本考案の実施例１の街路灯の基本構成構造のブロックチャートである図２に示すように、本考案の街路灯30は、ランプ主体31上に、電源に連接するACアダプター32、オプトエレクトロニックモジュール33、ACアダプター32とオプトエレクトロニックモジュール33との間に電気的に連接するコントロール回路34を設置する。
【００１４】
コントロール回路34はさらに、無線伝送/受信モジュール341、パワーアンプモジュール342、信号処理モジュール343を備える。
【００１５】
無線伝送/受信モジュール341は、ACアダプター32と電気的に連接し、少なくとも１個の対応する外部リモートホスト20と、信号の伝送/受信を行う。実施時には、無線伝送/受信モジュール341は、IEEEインターフェースを内蔵し、それが対応するリモートホスト20と、信号の伝送/受信を行う。
【００１６】
パワーアンプモジュール342は、無線伝送/受信モジュール電性341と連接し、無線伝送/受信モジュール341が外へと発送する信号波を拡大し、これによりあるべき伝送距離を獲得する。実施時には、パワーアンプモジュール342無線伝送/受信モジュール341へと伝送される信号を拡大するアンプを内蔵し、あるべき伝送距離を獲得する。
【００１７】
信号処理モジュール343は、無線伝送/受信モジュール341と電気的に連接し、街路灯30周辺の電子ロック12情報を読み取り、読み取った電子ロック12の情報を無線伝送/受信モジュール341へ伝送し、外へと発送する。
【００１８】
原則的には、本考案の街路灯30は、その使用時、オプトエレクトロニックモジュール33は、予定数量の発光ダイオード、蛍光灯管、或いは水銀電球に電気的に連接し、ACアダプター32を通して外部電源に連接する。さらに、ACアダプター32により、オプトエレクトロニックモジュール33及びコントロール回路34の作動に必要な電力を提供し、オプトエレクトロニックモジュール33の作動を起動後、オプトエレクトロニックモジュール33により、予定の照明効果を達成することができる。
【００１９】
特に、信号処理モジュール343により、街路灯30を設置する地点を通過するコンテナ11の電子ロック12情報を常態的に読み取り、無線伝送/受信モジュールにより外へと発送し、リモートホストにより、コンテナ車10に搭載する物品が危険性を備えないかどうかをさらに分析し、特定コンテナ11の運送路線を詳細に追跡し、及びコンテナ11が最後に到達した地点を確認することができる。こうして、より積極的な手段で、コンテナ車10に搭載する物品が危険性を備えないかどうかを分析し、及び特定コンテナ11の流れを掌握し、さらにはテロ事件の発生を防止することができる。
【００２０】
さらに、本考案の実施例２の街路灯構成構造ブロックチャートである図３に示すように、コントロール回路34はさらに、調光モジュール344、電流/電圧安定モジュール345、電流/電圧ディテクションモジュール346を備える。
【００２１】
調光モジュール344は、オプトエレクトロニックモジュール33と電気的に連接する。それは基本的に、インプットされる電圧/電流の大きさをコントロールするトランジスターを利用し、或いはインプットされる電圧/電流の大きさをコントロールする可変レジスターを内蔵する方式で、オプトエレクトロニックモジュール33に対してアウトプットされる電圧/電流をコントロールし、これによりオプトエレクトロニックモジュール33は、さまざまな輝度を生じる調光機能を達成する。
【００２２】
電流/電圧安定モジュール345は、ACアダプター32と調光モジュール344との間に電気的に連接する。それは基本的に、OVP電圧安定回路及びOVP電流安定回路を内蔵し、前記オプトエレクトロニックモジュールに対して、安定したアウトプット電圧/電流を提供し、実施時には、電流/電圧安定モジュール345はさらに、PFCパワー補償回路或いはOHP加熱保護回路を内蔵し、或いはさらにPFCパワー補償回路及びOHP加熱保護回路を内蔵し、これによりオプトエレクトロニックモジュール33に、安定した作動電源を提供する。
【００２３】
電流/電圧ディテクションモジュール346は、無線伝送/受信モジュール341と電流/電圧安定モジュール345との間に電気的に連接し、オプトエレクトロニックモジュール33に対してアウトプットされる電圧/電流情報を探知し、無線伝送/受信モジュール341を通して探知した電圧/電流情報を外へと発送する。信号処理モジュール343はさらに、無線伝送/受信モジュール341が受信する信号を判別して、執行する。
【００２４】
これにより、電流/電圧ディテクションモジュール346により、オプトエレクトロニックモジュール33に対してアウトプットされる電圧/電流情報を常態的に探知し、無線伝送/受信モジュール341を通して探知した電圧/電流情報を、それが対応するリモートホスト20へと発送する。こうして、リモートホスト20は、受信する電圧/電流情報により、街路灯30のオプトエレクトロニックモジュール33のオン/オフ状態を知ることができ、街路灯30のオプトエレクトロニックモジュール33が正常に作動しているかどうかを判断し、さらにオプトエレクトロニックモジュール33作動の時間数を換算することができる。さらには、リモートホスト20により、街路灯30に対して、関連するコントロール信号を発送し、これにより街路灯30をリモートモニター/コントロールする目的を達成することができる。
【００２５】
本考案の街路灯の使用地点の多くは、遮るもののないだだっ広い場所である。よって、本考案の街路灯は、図４に示すように、さらにACアダプター32前端に、落雷保護モジュール35を電気的に連接し、落雷保護モジュール35を通して、外部電源に連接する。実施時には、落雷保護モジュール35は、ポジティブ落雷が発生する大電流を放電する放電保護部品を内蔵し、落雷に遭遇すれば、大電流を直接アースに引き込み、これにより落雷が発生する大電流を効果的に吸収し、街路灯の雷による損壊を回避する。
【００２６】
従来の構造と比較すれば、本考案の街路灯は、より積極的な手段で、コンテナ車10に搭載する物品が危険性を備えないかどうかを分析し、特定のコンテナ11の流れを掌握し、テロ事件の発生を防止することができる。さらに、より積極的な手段で、街路灯の作動状態を掌握することができ、より積極的な手段で街路灯の正常な作動を維持/補修することができる。特に、リモートホストのオン/オフ或いは調光信号を受信し、リモートコントロールの目的を達成することができ、街路灯の実用性、適用性、及び操作の利便性を大幅に向上させることができる。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
10：コンテナ車
11：コンテナ
12：電子ロック
20：リモートホスト
30：街路灯
31：ランプ主体
32：ACアダプター
33：オプトエレクトロニックモジュール
34：コントロール回路
341：無線伝送/受信モジュール
342：パワーアンプモジュール
343：信号処理モジュール
344：調光モジュール
345：電流/電圧安定モジュール
346：電流/電圧ディテクションモジュール
35：落雷保護モジュール
【図１】
0003184342.tif 000003
【図２】
0003184342.tif 000004
【図３】
0003184342.tif 000005
【図４】
0003184342.tif 000006